(57)【要約】【課題】従来よりつぼ押し器や指圧器、及び振動マッサージャーが利用されているが、さらにこりを効果的にほぐす複合機能をもったイオン発生マッサージャーはなかった。ヒトのこりや筋肉疲労を効果的に解消し、健康改善に寄与できる磁気イオンつぼ押しマッサージャーを創作することである。【解決手段】振動つぼ押し器の先端に磁石を固定し、つぼ部の皮下生体内でファラデーの法則を成り立たせ、電磁誘導によりイオンの活性化が起させてこりや筋肉疲労を効果的に解消させることができる磁気イオンつぼ押しマッサージャーを創作することである。 【選択図】図２
0003139207.tif 000002
【実用新案登録請求の範囲】
【請求項１】
こり、痛み、しびれや疲労をより効果的に軽減又は回復させるために、つぼ押し器内に縦振動、横振動、回転などの振動源を内蔵してつぼ押し先端部が効果的に振動するようにし、つぼ押し先端部にはそのアールに沿った形状の永久磁石を埋設してなる磁気イオンつぼ押しマッサージャー。
【請求項２】
請求項１に記載の磁石付きつぼ押し先端部がつぼ部に押し付け振動を与えることによって、その皮下生体内に微弱誘導起電力を発生する。すなわちファラデーの法則とフレミングの法則が成り立つことを特徴とする磁気イオンつぼ押しマッサージャー。
【請求項３】
請求項１、２に記載の本考案のつぼ押しマッサージャーを用いて、つぼ部に押し付け、振動を与えることによって、皮下生体内にファラデーの法則が成り立ち、微弱誘導起電力を発生することにより皮下生体内にイオンが活性化し、こり周辺の筋肉に乳酸など疲労物質がたまり、これがこりの原因になっているので、これを効果的に解きほぐすことができる磁気イオンつぼ押しマッサージャー。
【請求項４】
請求項１、２、３に加えてつぼ部の皮膚表面にミネラル水分やミネラルクリーム等を塗布し、本考案の振動つぼ先端部を押し付けることにより、塗布層及び皮下生体内に微弱誘導起電力が発生し、イオンの活性化、及び水の小クラスター化を起こすことを特徴とする磁気イオンつぼ押しマッサージャー。
【考案の詳細な説明】
【技術分野】
【０００１】
本考案は、こりや筋肉疲労を効果的に回復させる磁気イオンつぼ押しマッサージャーに関するものである。
【背景技術】
【０００２】
従来よりつぼ押し器や指圧器、及び振動マッサージャーが利用されているが、さらにこりを効果的にほぐす複合機能をもったイオン発生マッサージャーはなかった。
【特許文献１】特開２００４−５７５７０号公報
【特許文献２】特開７−１１６２２２号公報
【考案の開示】
【考案が解決しようとする課題】
【０００３】
解決しょうとする問題点は、従来のつぼ押し器や指圧器、及び振動マッサージャーでは、つぼ部の疲労をほぐすための皮下生体内のイオン活性化はできず、これを可能にすることが課題であった。
【課題を解決するための手段】
【０００４】
本考案は、つぼ押し器の本体内に縦振動、横振動、回転などの振動源を内蔵し、永久磁石を装着したつぼ押し先端部で振動させながらつぼ部を押すとき、塗布剤を含めた皮下生体内でファラデーの法則が成立し、イオンの活性化が起こり、こりや筋肉疲労が解消させる磁気イオンつぼ押しマッサージャーを創作することである。
【考案の効果】
【０００５】
本考案の磁気イオンつぼ押しマッサージャーを用いて、つぼ部をマッサージすると、塗布剤を含めた皮下生体内でファラデーの法則が成り立ち、微弱な誘導起電力が発生する。つぼ押し頭部の振動に伴ってイオンの発生と存在イオンは電子キャリヤーで活発に移動し、つまりイオンの活性化が起こり、こりの疲労物質が解消され、筋肉疲労を効果的に回復させることができる。
【考案を実施するための最良の形態】
【０００６】
本考案は、つぼ押し器の本体内に振動源を内蔵し、永久磁石を装着したつぼ押し先端部で振動させながらつぼ部を押すとき、塗布剤を含めた皮下生体内でファラデーの法則が成り立つようにし、イオンの活性化さ、筋肉疲労物質を解消させる目的を達成するための実施形態の磁気イオンつぼ押しマッサージャーを創作することがきた。
【実施例１】
【０００７】
図１は、横型つぼ押し器の縦断面である。図において本体１の内部に減速モータ５と電池４が収納されており、減速モータに直結したつぼ押し頭部２の先端に永久磁石３を固定している。つぼ押しを行うとき、つぼ皮膚面にミネラル水やクリーム等を塗布し、このつぼ押し頭部２を回転させながらつぼ部に押し付け、ファラデーの法則を成立させて、イオンの活性化が起こることにより、こりや筋肉疲労を解きほぐすことができる磁気イオンつぼ押しマッサージャーの一実施例である。
【０００８】
図２は、縦型つぼ押し器の縦断面図である。図において本体１の内部に振動モータ４と電池５を収納しており、つぼ押し棒２の軸方向に振動を与えるようにし、つぼ押し棒２の先端にＮ極とＳ極の対抗磁石を固定し、皮膚面に垂直に振動を与えてファラデーの法則を成立させて皮下生体内のイオンを活性化できることを特徴とする磁気イオンつぼ押しマッサージャーの一実施例を示す。
【０００９】
図３は、図２のつぼ押し器をつぼ部に作用させ、押し付け状態の皮下生体内の変形断面１１を示したものである。
【００１０】
図４は、つぼ押し棒２の先端にＮ−Ｓ対抗磁石の配置図である。図３及び図４において、つぼ押し棒２の先端にはＮ−Ｓ対抗磁石を固定し、振動方向に対し磁場方向が直角になるように配置しており、つぼ部の皮下生体内で、図４の下に示すように磁場方向Ｂと下方運動方向Ｍ、Ｍ′により電流Ｉ、Ｉ′が発生する所謂ファラデーの法則が成立することを説明した図である。
【００１１】
図５は、首振り型つぼ押し器の縦断面図である。図において、本体１内部に減速モータ６と電池５を収納しており、つぼ押し棒２の先端には永久磁石３を固定し、つぼ押し棒２には揺動するための振れ用の軸４設け、つぼ押し棒２の横振動を発生させる機構である。
同図の下に示す矢印図は、磁場方向Ｂと下方運動方向Ｍ、Ｍ′により電流Ｉ、Ｉ′が発生する所謂ファラデーの法則が成立することを説明した図である。
【００１２】
図６は、横型つぼ押し器の縦断面図である。図において、本体１内部に往復動減速モータ６と電池５を収納しており、つぼ押し棒２の先端には永久磁石３を固定し、つぼ押し棒２は、同図の下に示す矢印図は、磁場方向Ｂと下方運動方向Ｍ、Ｍ′により電流Ｉ、Ｉ′が発生する所謂ファラデーの法則が成立することを説明した図である。
【産業上の利用可能性】
【００１３】
ヒトには多くのつぼがあり、このつぼを活用し、こりや筋肉疲労を効果的に解消させるためにファラデーの法則を利用した健康改善方法は多くのヒトに利用される。
【図面の簡単な説明】
【００１４】
【図１】横型つぼ押し器の縦断面を示した説明図である。（実施例１）
【図２】縦型つぼ押し器の縦断面図を示した説明図である。（実施例２）
【図３】つぼ押し器の押し付け状態の皮下生体内の変形断面を示した説明図である。
【図４】つぼ押し棒２の先端にＮ−Ｓ対抗磁石の配置図である。
【図５】首振り型つぼ押し器の縦断面を示した実施例の説明図である。（実施例３）
【図６】横型つぼ押し器の縦断面を示した説明図である。（実施例４）
【符号の説明】
【００１５】
１  本体
２  つぼ押し棒
３  磁石
４  軸
５  電池
６  モータ
１１皮下生体変形断面
【図１】
0003139207.tif 000003
【図２】
0003139207.tif 000004
【図３】
0003139207.tif 000005
【図４】
0003139207.tif 000006
【図５】
0003139207.tif 000007
【図６】
0003139207.tif 000008
【手続補正書】
【提出日】平成19年11月5日(2007.11.5)
【手続補正１】
【補正対象書類名】実用新案登録請求の範囲
【補正対象項目名】全文
【補正方法】変更
【補正の内容】
【実用新案登録請求の範囲】
【請求項１】
つぼ押し先端部には球状アールに沿った形状のN-S極の双極型、N又はS極の単極型の希土類やフェライトなどの永久磁石を固定してあり、振動源にはモーターを用いてつぼ押し先端部に縦振動、横振動、回転やランダム振動などの運動を与えることを特徴とする磁気イオンつぼ押しマッサージャー。
【請求項２】
請求項１に記載の回転型つぼ押し器は減速モーター主軸につぼ押し部が取り付けられて回転を与え、そのつぼ押し先端部にはN-S極の永久磁石を固定してなることを特徴とする磁気イオンつぼ押しマッサージャー。
【請求項３】
請求項１に記載の縦振動型つぼ押し器の本体内部に装着したモーター主軸にエキセントリックのウエイトを固定し、これが回転することにより振動運動が発生し、つぼ押し棒の軸方向に沿ってつぼ押し部が振動する構造をもつ磁気イオンつぼ押しマッサージャー。
【請求項４】
請求項１に記載の首振り横振動型、本体つぼ押し器は内部にモーター主軸にエキセントリック・クランクを持ち、これが回転することにより首振り振動運動が発生し、つぼ押し棒の中心軸にピンを有し、これを中心に左右に首振りし、つぼ押し部が横振動する構造をもつ磁気イオンつぼ押しマッサージャー。